(57)【要約】【課題】機械により簡単且つ素早く組み立てることができる放熱構造体の提供。【解決手段】上下両端にそれぞれ開口を有するように形成された管状体（２）の外周面（２１）に、複数の放熱フィンユニット（３）が取り付けられている放熱構造体であって、各放熱フィンユニットは、いずれも前記上下両端の開口周縁にそれぞれ係止されている上フック及び下フックを備えていることを特徴とする放熱構造体。【選択図】図１
2012235078.tif 000002
【特許請求の範囲】
【請求項１】
上下両端にそれぞれ開口を有するように形成された管状体の外周面に、複数の放熱フィンユニットが取り付けられている放熱構造体であって、
各前記放熱フィンユニットは、いずれも前記上下両端の開口周縁にそれぞれ係止されている上フック及び下フックを備えていることを特徴とする放熱構造体。
【請求項２】
前記管状体の前記上下両端の開口周縁の端面に、それぞれ前記放熱フィンユニットの数量に対応する複数のノッチが凹設されており、
各前記放熱フィンユニットがそれぞれ有している前記上フック及び下フックは、いずれも前記管状体の外側から１つの前記ノッチを経由して前記管状体の内側に挿し込まれるように延伸している平板状の第１のフック部と、前記第１のフック部の延伸部において曲がってから前記管状体の内周面に当接するように延伸している第２のフック部と、を有していることを特徴とする請求項１に記載の放熱構造体。
【請求項３】
前記複数の放熱フィンユニットは、いずれも、
平板状の放熱フィン本体と、
前記放熱フィン本体と直交していると共に、それぞれ前記上フック及び下フックに対応している平板状の上フック基部及び下フック基部と、を更に備えており、
前記上フック及び下フックがそれぞれ有している第１のフック部は、対応している前記上フック基部、または下フック基部と同じ平面において前記上フック基部、または下フック基部から延伸しており、
更に、前記放熱フィンユニットは、１つの平板体より切り出してから折り曲げたものであることを特徴とする請求項２に記載の放熱構造体。
【請求項４】
上固定プレート及び下固定プレートを更に有し、
該上固定プレート及び下固定プレートは、それぞれの周縁が各放熱フィンユニットの前記上フックまたは下フックの前記第２のフック部を前記管状体の内周面に押し付けるように、前記管状体の上下両側からそれぞれ前記管状体内に押し込まれていることを特徴とする請求項３に記載の放熱構造体。
【請求項５】
前記上固定プレートは、上面が全ての前記放熱フィンユニットの上フック基部と同一平面上にあり、前記下固定プレートは、下面が全ての前記放熱フィンユニットの下フック基部と同一平面上にあるように配置されていることを特徴とする請求項４に記載の放熱構造体。
【発明の詳細な説明】
【技術分野】
【０００１】
本発明は放熱構造体に関し、特に、組み立てられやすい放熱構造体に関する。
【背景技術】
【０００２】
従来の放熱構造体として、例えば特許文献１に記載されているものがある。
【０００３】
特許文献１に記載されている放熱構造体は、図６に示されている放熱ユニット１０を複数有し、各放熱ユニット１０は、それぞれ放熱フィン１１と、放熱フィン１１と直交している固定孔１３付きの固定プレート１２とから形成されている。
【０００４】
そして、図６に示されている各放熱ユニット１０は、図７に示されているように、環状に並べられてから、全ての放熱ユニット１０が有する固定孔１３にそれぞれ嵌め込まれる複数の係止ピン１４が形成されている固定キャップ１５によって、１つの放熱構造体として組み立てられている。
【０００５】
この放熱構造体を組み立てるために、まず複数の放熱ユニット１０を正確に並べてから、複数の係止ピン１４をちょうど各固定孔１３に嵌め込むように固定キャップ１５を正確に設置しなければならないので、手間がかかる上、機械による自動化作業にも非常に困難である。
【先行技術文献】
【特許文献】
【０００６】
【特許文献１】台湾実用新案第Ｍ３９５７８７号明細書
【発明の概要】
【発明が解決しようとする課題】
【０００７】
本発明は上記問題点に鑑みて、機械により簡単且つ素早く組み立てることができる放熱構造体の提供を目的とする。
【課題を解決するための手段】
【０００８】
上記目的を達成すべく、本発明は、上下両端にそれぞれ開口を有するように形成された管状体の外周面に、複数の放熱フィンユニットが取り付けられている放熱構造体であって、各放熱フィンユニットは、いずれも前記上下両端の開口周縁にそれぞれ係止されている上フック及び下フックを備えていることを特徴とする放熱構造体を提供する。
【０００９】
上記放熱構造体において、前記管状体の前記上下両端の開口周縁の端面に、それぞれ前記放熱フィンユニットの数量に対応する複数のノッチが凹設されており、各前記放熱フィンユニットがそれぞれ有している前記上フック及び下フックはいずれも、前記管状体の外側から１つの前記ノッチを経由して前記管状体の内側に挿し込まれるように延伸している平板状の第１のフック部と、前記第１のフック部の延伸先端より曲がってから前記管状体の内周面に当接するように延伸している第２のフック部とを有していることが好ましい。
【００１０】
上記放熱構造体において、前記複数の放熱フィンユニットは、いずれも、平板状の放熱フィン本体と、前記放熱フィン本体と直交していると共に、それぞれ前記上フック及び下フックに対応している平板状の上フック基部及び下フック基部と、を更に備えており、前記上フック及び下フックがそれぞれ有している第１のフック部は、対応している前記上フック基部、または下フック基部と同じ平面において前記上フック基部、または下フック基部から延伸しており、更に、前記放熱フィンユニットは、１つの平板体より切り出してから折り曲げたものであることが好ましい。
【００１１】
上記放熱構造体において、上固定プレート及び下固定プレートを更に有し、該上固定プレート及び下固定プレートは、それぞれの周縁が各放熱フィンユニットの前記上フック、または下フックの前記第２のフック部を前記管状体の内周面に押し付けるように、前記管状体の上下両側からそれぞれ前記管状体内に押し込まれていることが好ましい。
【００１２】
上記放熱構造体において、前記上固定プレートは、上面が全ての前記放熱フィンユニットの上フック基部に、前記下固定プレートは、下面が全ての前記放熱フィンユニットの下フック基部に一致するように配置されていることが好ましい。
【発明の効果】
【００１３】
上記構成により、本発明の放熱構造体は、上フック及び下フックの係止により管状体の外周面に放熱フィンユニットを取り付ける構成になっているので、放熱フィンユニットを管状体の外周面に当接してから折り畳む工程により上フック及び下フックを形成する製造方法を使用することができ、機械を使用することにより簡単且つ素早く組み立てることができる放熱構造体の提供を目的とする。
【図面の簡単な説明】
【００１４】
【図１】本発明の放熱構造体の組み立てられた状態が示されている斜視図である。
【図２】本発明の放熱構造体の分解図である。
【図３】本発明の放熱構造体の組み立て法が示されている説明図である。
【図４】本発明の放熱構造体の組み立て法が示されている一部拡大説明図である。
【図５】本発明の放熱構造体の組み立て法が示されている一部拡大説明図である。
【図６】従来の放熱構造体の構成例に使用される放熱ユニットの斜視図である。
【図７】同従来の放熱構造体の構成例の組み立て法が示されている説明図である。
【発明を実施するための形態】
【００１５】
図１、図２では本発明の放熱構造体の全体構成が示されている。図１は本発明の放熱構造体の組み立てられた状態が示されている斜視図であり、図２はその分解図である。
【００１６】
図示のように、本発明の放熱構造体は、上下両端にそれぞれ開口を有するように形成された管状体２の外周面２１に、複数の放熱フィンユニット３が取り付けられ、上固定プレート４Ａ及び下固定プレート４Ｂによって放熱フィンユニット３を管状体２に固定するように構成されている。
【００１７】
図３は本発明の放熱構造体の組み立て法が示されている説明図であり、図４及び図５は本発明の放熱構造体の組み立て法が示されている一部拡大説明図である。
【００１８】
図２〜図５に示されているように、本発明の放熱構造体における管状体２は、上下両端の開口周縁の端面に、それぞれ複数のノッチ２２が凹設されており、ノッチ２２の数は、放熱フィンユニット３の数量に対応している。
【００１９】
各放熱フィンユニット３は、いずれも平板状の放熱フィン本体３１と、管状体２の上下両端面に形成されているノッチ２２にそれぞれ係止されている上フック３２及び下フック３３を備えている。
【００２０】
上フック３２は、放熱フィン本体３１と直交している平板状の上フック基部３２１と、上フック基部３２１と同じ平面において上フック基部３２１から管状体２に向けて延伸して、管状体２の外側から１つのノッチ２２を経由して管状体２の内側に挿し込まれている平板状の第１のフック部３２２と、第１のフック部３２２の延伸部より曲がってから管状体２の内周面２３に当接するように延伸している第２のフック部３２３とを有している。
【００２１】
下フック３３は、上フック３２に類似する構成になっており、放熱フィン本体３１と直交している平板状の下フック基部３３１と、下フック基部３３１と同じ平面において下フック基部３３１から管状体２に向けて延伸して、管状体２の外側から１つのノッチ２２を経由して管状体２の内側に挿し込まれている平板状の第１のフック部３３２と、第１のフック部３３２の延伸先端より曲がってから管状体２の内周面２３に当接するように延伸している第２のフック部３３３とを有している。
【００２２】
この構成を有する本発明の放熱フィンユニット３は、所定の形状に切り出された１つの平板体から折り曲げられて形成されることができる。
【００２３】
本発明における上固定プレート４Ａは、周縁４１Ａが各放熱フィンユニット３の上フック３２の第２のフック部３２３を管状体２の内周面２３に押し付けるように、管状体２の上側から管状体２の管内に押し込まれている。
【００２４】
下固定プレート４Ｂは、上固定プレート４Ａと同じく、周縁４１Ｂが各放熱フィンユニット３の下フック３３の第２のフック部３３３を管状体２の内周面２３に押し付けるように、管状体２の下側から管状体２の管内に押し込まれている。
【００２５】
本発明の放熱構造体を組み立てる際、まずは各放熱フィンユニット３の上フック及び下フック３２、３３における第２のフック部３２３、３３３が、第１のフック部３２２、３３２からまっすぐ延伸して曲がっていない状態で、第１のフック部３２２、３３２及び第２のフック部３２３、３３３を管状体２に凹設されている複数のノッチ２２にそれぞれ挿し込んでから、第２のフック部３２３、３３３を曲げて管状体２の内周面２３に押し付けて、それから上固定プレート４Ａ及び下固定プレート４Ｂを管状体２の上側及び下側から管状体２の管内に押し込んで固定する。
【００２６】
更に、上固定プレート４Ａを、上面４２Ａが全ての放熱フィンユニット３の上フック基部３２１と同一平面に至るまで管状体２に押し込み、下固定プレート４Ａを、その下面４２Ｂが全ての放熱フィンユニット３の下フック基部３２１と同一平面に至るまで管状体２に押し込むことが好ましい。
【産業上の利用可能性】
【００２７】
上記構成により、本発明の放熱構造体は、上フック３２及び下フック３３の係止により管状体２の外周面２１に放熱フィンユニット３を取り付ける構成になっており、放熱フィンユニット３を管状体の外周面に当接してから上フック３２及び下フック３３の第２のフック部３２３、３３３を曲げて係止させて、上固定プレート及び下固定プレート４Ａ、４Ｂを押し付けて固定することができるので、機械を使用することにより簡単且つ素早く組み立てることができる。
【００２８】
したがって、本発明の放熱構造体は、例えば管状の放熱対象に適用されることができ、特に発光ダイオードを用いる照明装置に適用されることができる。
【符号の説明】
【００２９】
２  環状体
２１  外周面
２２  ノッチ
２３  内周面
３  放熱フィンユニット
３１  放熱フィン本体
３２  上フック
３３  下フック
３２１  上フック基部
３２２  第１のフック部
３２３  第２のフック部
３３１  上フック基部
３３２  第１のフック部
３３３  第２のフック部
４Ａ  上固定プレート
４Ｂ  下固定プレート
４１Ａ  周縁
４２Ａ  上面
４１Ｂ  周縁
４２Ｂ  下面
【図１】
2012235078.tif 000003
【図２】
2012235078.tif 000004
【図３】
2012235078.tif 000005
【図４】
2012235078.tif 000006
【図５】
2012235078.tif 000007
【図６】
2012235078.tif 000008
【図７】
2012235078.tif 000009